(57)【要約】【課題】メモリの使用効率を向上させ、省電力を図ることができるようにする。【解決手段】静止判定部４２は、画像処理部４１から提供された処理対象フレームデータと、バッファ４５に保持されているフレームデータとを比較し、その結果に基づいて、静止判定をする。処理対象フレームデータが静止画像フレームデータではないという静止判定結果である場合、アクセス制御部５１は、処理対象フレームデータのメモリ３３に対するアクセス制御を許可する。これに対して、処理対象フレームデータが静止画像フレームデータであるという静止判定結果である場合、アクセス制御部５１は、処理対象フレームデータのメモリ３３に対するアクセス制御を禁止する。本発明は、例えばテレビジョン受像機に適用することができる。【選択図】図３
2010026219.tif 000002
【特許請求の範囲】
【請求項１】
同一の単位画像が複数配置されて構成される静止画像、異なる単位画像が複数配置されて構成される動画像、または、同一の単位画像が複数配置されて構成される静止画像部分と異なる単位画像が複数配置されて構成される動画像部分とが混在する混在画像の画像データが単位画像を単位として入力された場合、入力された前記単位画像のデータを処理対象データとして、前記処理対象データが、前記動画像若しくは前記混在画像の前記動画像部分の単位画像のデータとしての動画像単位データであるのか、または、前記静止画像若しくは前記混在画像の前記静止画像部分の単位画像のデータとしての静止画像単位データであるのかを判定する静止判定手段と、
前記静止判定手段により前記動画像単位データであると判定された場合、前記処理対象データのメモリに対する書き込みまたは読み出しのためのアクセス制御を許可し、前記静止判定手段により前記静止画像単位データであると判定された場合、前記処理対象データについての前記アクセス制御を禁止するアクセス制御手段と
を備える情報処理装置。
【請求項２】
前記アクセス制御手段の前記アクセス制御により前記メモリから読み出された前記処理対象データを、比較対象データとして保持する保持手段をさらに備え、
前記静止判定手段は、前記処理対象データと、前記処理対象データよりも前に入力されて前記保持手段に保持された前記比較対象データとを比較して、その比較結果に基づいて、前記処理対象データが前記動画像単位データまたは前記静止画像単位データであるか否かを判定する
請求項１に記載の情報処理装置。
【請求項３】
情報処理装置が、
同一の単位画像が複数配置されて構成される静止画像、異なる単位画像が複数配置されて構成される動画像、または、同一の単位画像が複数配置されて構成される静止画像部分と異なる単位画像が複数配置されて構成される動画像部分とが混在する混在画像の画像データが単位画像を単位として入力された場合、入力された前記単位画像のデータを処理対象データとして、前記処理対象データが、前記動画像若しくは前記混在画像の前記動画像部分の単位画像のデータとしての動画像単位データであるのか、または、前記静止画像若しくは前記混在画像の前記静止画像部分の単位画像のデータとしての静止画像単位データであるのかを判定し、
前記動画像単位データであると判定された場合、前記処理対象データのメモリに対する書き込みまたは読み出しのためのアクセス制御を許可し、前記静止画像単位データであると判定された場合、前記処理対象データについての前記アクセス制御を禁止する
ステップを含む情報処理方法。
【請求項４】
同一の単位画像が複数配置されて構成される静止画像、異なる単位画像が複数配置されて構成される動画像、または、同一の単位画像が複数配置されて構成される静止画像部分と異なる単位画像が複数配置されて構成される動画像部分とが混在する混在画像の画像データが単位画像を単位として入力される画像処理装置を制御するコンピュータが、
前記画像処理装置に入力された前記単位画像のデータを処理対象データとして、前記処理対象データが、前記動画像若しくは前記混在画像の前記動画像部分の単位画像のデータとしての動画像単位データであるのか、または、前記静止画像若しくは前記混在画像の前記静止画像部分の単位画像のデータとしての静止画像単位データであるのかを判定し、
前記動画像単位データであると判定された場合、前記処理対象データのメモリに対する書き込みまたは読み出しのためのアクセス制御を許可し、前記静止画像単位データであると判定された場合、前記処理対象データについての前記アクセス制御を禁止する
ステップを含む制御処理を実行するプログラム。
【発明の詳細な説明】
【技術分野】
【０００１】
本発明は、情報処理装置および方法、並びにプログラムに関し、特に、メモリの使用効率を向上させ、省電力を図ることができるようになった、情報処理装置および方法、並びにプログラムに関する。
【背景技術】
【０００２】
従来の画像処理回路は、複数フレームにわたる画像処理を施す場合、次のような第１の処理と第２の処理とをその順番に実行している。第１の処理は、入力された画像を外部のメモリに書き込むという処理である。第２の処理は、画像処理を施す場合に必要な画像の一部を、外部のメモリから読み出すという処理である（例えば、特許文献１参照）。
【０００３】
従来の画像処理回路の入力画像としては、動画像、静止画像、および混在画像の３種類が存在する。
【０００４】
ここで、３種類の画像データは何れも、１以上のフレームの各画像データから構成されるとする。即ち、動画像、静止画像、および混在画像はいずれも、１以上のフレームから構成されるとする。
【０００５】
動画像とは、常に異なるフレームが配置されて構成される画像をいう。静止画像とは、常に同一のフレームが配置されて構成される画像をいう。混在画像とは、常に異なるフレームが配置されて構成される部分（以下、動画像部分と称する）と、常に同一のフレームが配置されて構成される部分（以下、静止画像部分と称する）とが混在して配置されて構成される画像をいう。
【０００６】
動画像または混在画像の動画像部分が入力画像である場合、従来の画像処理回路は、メモリに対して、常に異なるフレームデータの書き込みおよび読み出しをする。
【０００７】
【特許文献１】特願２００１−３９９８６９号公報
【発明の開示】
【発明が解決しようとする課題】
【０００８】
しかしながら、静止画像または混在画像の静止画像部分が入力画像である場合、従来の画像処理回路は、メモリ上の同一アドレスに同一フレームデータの書き込みおよび読み出しをする。即ち、従来の画像処理回路は、フレームデータが入力されるたびに、メモリ上の同一アドレスに対して同一の処理を繰り返し実行している。この処理は、メモリに対する不要なアクセスであるといえる。
【０００９】
即ち、従来の画像処理回路は、入力画像の種類に関わらず、メモリに対して、フレームデータの書き込みおよび読み出しをしている。そのため、メモリの使用効率を低下させ、不要な電力を消費していた。
【００１０】
本発明は、このような状況に鑑みてなされたものであり、メモリの使用効率を向上させ、省電力を図ることができるようにするものである。
【課題を解決するための手段】
【００１１】
本発明の一側面の情報処理装置は、同一の単位画像が複数配置されて構成される静止画像、異なる単位画像が複数配置されて構成される動画像、または、同一の単位画像が複数配置されて構成される静止画像部分と異なる単位画像が複数配置されて構成される動画像部分とが混在する混在画像の画像データが単位画像を単位として入力された場合、入力された前記単位画像のデータを処理対象データとして、前記処理対象データが、前記動画像若しくは前記混在画像の前記動画像部分の単位画像のデータとしての動画像単位データであるのか、または、前記静止画像若しくは前記混在画像の前記静止画像部分の単位画像のデータとしての静止画像単位データであるのかを判定する静止判定手段と、前記静止判定手段により前記動画像単位データであると判定された場合、前記処理対象データのメモリに対する書き込みまたは読み出しのためのアクセス制御を許可し、前記静止判定手段により前記静止画像単位データであると判定された場合、前記処理対象データについての前記アクセス制御を禁止するアクセス制御手段とを備える。
【００１２】
前記アクセス制御手段の前記アクセス制御によりが前記メモリから読み出された前記処理対象データを、比較対象データとして保持する保持手段をさらに備え、前記静止判定手段は、前記処理対象データと、前記処理対象データよりも前に入力されて前記保持手段に保持された前記比較対象データとを比較して、その比較結果に基づいて、前記処理対象データが前記動画像単位データまたは前記静止画像単位データであるか否かを判定する。
【００１３】
本発明の一側面の情報処理方法およびプログラムは、上述した本発明の一側面の情報処理装置に対応する方法およびプログラムである。
【００１４】
本発明の一側面の情報処理装置および方法、並びにプログラムにおいては、同一の単位画像が複数配置されて構成される静止画像、異なる単位画像が複数配置されて構成される動画像、または、同一の単位画像が複数配置されて構成される静止画像部分と異なる単位画像が複数配置されて構成される動画像部分とが混在する混在画像の画像データが単位画像を単位として入力された場合、入力された前記単位画像のデータを処理対象データとして、前記処理対象データが、前記動画像若しくは前記混在画像の前記動画像部分の単位画像のデータとしての動画像単位データであるのか、または、前記静止画像若しくは前記混在画像の前記静止画像部分の単位画像のデータとしての静止画像単位データであるのかが判定され、前記動画像単位データであると判定された場合、前記処理対象データのメモリに対する書き込みまたは読み出しのためのアクセス制御が許可され、前記静止画像単位データであると判定された場合、前記処理対象データについての前記アクセス制御が禁止される。
【発明の効果】
【００１５】
以上のごとく、本発明によれば、メモリへの不要なアクセスを回避することができるようになる。その結果、メモリの使用効率を向上させるとともに、消費電力を削減することができるようになる。
【発明を実施するための最良の形態】
【００１６】
以下、図面を参照して、本発明の実施の形態について説明する。
【００１７】
なお、本実施の形態では、動画像の処理単位として、フレームを採用する。ただし、処理単位は、フレームに限定されず、例えばフィールド等であっても構わない。以下、このようなフィールドやフレームといった動画像の処理単位を、単位画像と称する。即ち、本発明は、任意の単位画像に対する処理に適用可能であり、以下に説明するフレームは単位画像の一例に過ぎない。
【００１８】
図１は、本発明が適用される情報処理装置の一実施形態の外観構成例を示す図である。
【００１９】
情報処理装置１１は、画像データを入力し、その画像データに対応する画像を表示する。情報処理装置１１として、例えばテレビジョン受像機を採用できる。
【００２０】
情報処理装置１１に入力される画像データの種類としては、動画像、静止画像および混在画像の３種類が存在する。
【００２１】
これらの３種類の画像データは何れも、１以上のフレームデータから構成されるとする。即ち、動画像、静止画像、および混在画像はいずれも、１以上のフレームから構成されるとする。
【００２２】
例えば、放送局１２から放送されてアンテナ２１に受信される放送番組等の動画像の画像データが、情報処理装置１１にフレームデータ単位で入力される。
【００２３】
例えば、デジタルスチルカメラ２２によって撮影された静止画像の画像データが、情報処理装置１１にフレーム単位で入力される。
【００２４】
例えば、パーソナルコンピュータ２３から出力された混在画像の画像データが、情報処理装置１１にフレーム単位で入力される。
【００２５】
入力された各種の画像データは、情報処理装置１１によって高画質化等の画像処理がフレームデータ単位で適宜施される。その結果得られる画像データに対応する画像は、ディスプレイ等に表示される。この場合、ユーザは、ディスプレイ等に表示される静止画像または混在画像として、例えば次のような画像が視聴することができる。即ち、ユーザは、例えば写真を視聴することができる。ユーザは、例えば画面の動きが少ない混在画像（将棋の中継等）を視聴することができる。ユーザは、例えば録画した動画像を再生中に一時停止することで、一時停止中の画像を静止画像として視聴することができる。ユーザは、例えば全画面表示ではないウィンドウ表示（一部の領域の表示）で、パーソナルコンピュータ２３からの混在画像を視聴することが出来る。ユーザは、例えば資料（文書、メール、カタログ等）を静止画像として視聴することができる。ユーザは、例えば文書作成等画面の一部しか変化しない混在画像を見ながら、文書作成等をすることができる。
【００２６】
図２は、図１の情報処理装置１１の機能的構成例を示す機能ブロック図である。
【００２７】
情報処理装置１１は、画像入力部３１、画像処理部３２、メモリ３３、および表示部３４から構成される。
【００２８】
画像入力部３１には、動画像、静止画像または混在画像の画像データが入力される。即ち、動画像、静止画像、および混在画像の各画像データは、入力画像データとして画像入力部３１から画像処理部３２に提供される。
【００２９】
画像処理部３２は、画像入力部３１から提供された入力画像データに対して、高画質化等の画像処理を適宜施す。画像処理部３２は、画像処理が施された画像データを出力画像データとして、表示部３４に提供する。
【００３０】
表示部３４は、画像処理部３２から提供された出力画像データに対応する画像、即ち、動画像、静止画像または混在画像を表示する。
【００３１】
このように、表示部３４には、３種類の画像が表示される。そこで、画像処理部３２は、画像入力部３１から提供された入力画像データの種類を判定する。即ち、画像処理部３２は、画像入力部３１から提供された入力画像データが、動画像、静止画像および混在画像のうちのいずれの画像であるのかをフレームデータ単位で判定する。即ち、入力画像データを構成する複数のフレームデータのそれぞれが、処理の対象として注目すべきフレームデータ（以下、処理対象フレームデータと称する）に順次設定される。画像処理部３２は、フレーム画像データが、動画像若しくは混在画像の動画像部分のフレーム画像データ（以下、これらをまとめて動画像フレームデータと称する）であるのか、または、静止画像若しくは混在画像の静止画像部分のフレーム画像データ（以下、これらをまとめて静止画像フレームデータと称する）であるのかを判定する。
【００３２】
画像処理部３２は、処理対象フレームデータが動画像フレームデータであると判定した場合、処理対象フレームデータをメモリ３３に書き込み、また入力画像データをメモリ３３から読み出す。
【００３３】
これに対して、画像処理部３２は、処理対象フレームデータが静止画像フレームデータであると判定した場合、入力画像データのメモリ３３に対する書き込みや読み出しを禁止する。
【００３４】
図３は、このような処理を実現するための画像処理部３２の機能を説明するための図である。即ち、図３は、画像処理部３２の機能的構成例を示す機能ブロック図である。
【００３５】
図３の例の画像処理部３２は、画像処理部４１、静止判定部４２、書き込み側アクセス制御部４３、読み出し側アクセス制御部４４、バッファ４５および画像処理部４６から構成される。アクセス制御部５１は、書き込み側アクセス制御部４３と読み出し側アクセス制御部４４を含む。
【００３６】
画像処理部４１は、画像入力部３１（図２参照）から提供された入力画像データに対する画像処理をフレームデータ毎に施す。
【００３７】
画像処理が施された処理対象フレームデータは、静止判定部４２と書き込み側アクセス制御部４３とに提供される。
【００３８】
静止判定部４２は、画像処理部４１から提供された処理対象フレームデータと、バッファ４５に保持されているフレームデータとを比較する。静止判定部４２は、その比較の結果に基づいて、処理対象フレームデータが静止画像フレームデータであるのか否かについての判定（以下、静止判定と称する）をする。
【００３９】
静止判定の手法としては、例えば本実施の形態では、次のような手法が採用されている。即ち、静止判定部４２は、処理対象フレームデータのうちの所定座標のデータ（画素データ）と、バッファ４５に保持されているフレームデータのうちの同一座標のデータ（画素データ）とを一以上比較する。静止判定部４２は、それらが同一であるという比較結果の場合、静止画像フレームデータと判定する。そうでない場合には、静止判定部４２は、動画像フレームデータと判定とする。このような静止判定の手法が、本実施の形態では採用されている。
【００４０】
もっとも、静止判定部４２による静止判定の手法は、本実施の形態の例に特に限定されず、その他として、例えば次のような第１乃至第３の手法を採用することができる。
【００４１】
第１の手法とは、静止判定にフレームデータの座標を使用する、という手法である。即ち、その座標と、その座標のデータ（画素データ）とは、画像処理部３２の外部（例えばＣＰＵ（Central Processing Unit）等）から入力される。静止判定部４２は、処理対象フレームデータの同一座標のデータ（画素データ）が、入力されたデータ（画素データ）と一致する場合、静止画像フレームデータと判定する。そうでない場合には、静止判定部４２は、動画像フレームデータと判定とする。このような静止判定の手法が、第１の手法である。
【００４２】
第２の手法とは、静止判定に静止画像フラグを使用する、という手法である。即ち、ＨＤＭI（High-Definition Multimedia Interface）のように、静止画像フラグの付加された画像が入力されることが前提となる。このような前提の下、静止判定部４２は、処理対象フレームデータの静止画像フラグがアサートされている場合、静止画像フレームデータと判定する。そうでない場合には、静止判定部４２は、動画像フレームデータと判定とする。このような静止判定の手法が、第２の手法である。
【００４３】
第３の手法とは、静止判定にマスク情報を使用する、という手法である。即ち、画像処理部３２の外部（例えばＣＰＵ等）から、画像データの静止部分のマスク情報が入力されることが前提となる。このような前提の下、静止判定部４２は、処理対象フレームデータにマスクがかかっている場合、静止画像フレームデータと判定する。そうでない場合には、静止判定部４２は、動画像フレームデータと判定とする。このような静止判定の手法が、第３の手法である。
【００４４】
何れの手法が採用されたとしても、静止判定部４２による静止判定の処理結果（以下、静止判定結果と称する）は、書き込み側アクセス制御部４３と読み出し側アクセス制御部４４に通知される。
【００４５】
書き込み側アクセス制御部４３は、メモリ３３にアクセスして、データの書き込みを制御する。具体的には、書き込み側アクセス制御部４３は、静止判定部４２による静止判定の結果に基づいて、画像処理部４１からの処理対象フレームデータのメモリ３３に対する書き込みを制御する
【００４６】
即ち、処理対象フレームデータが静止画像フレームデータではないという静止判定結果である場合、即ち、処理対象フレームデータが動画像フレームデータである場合、書き込み側アクセス制御部４３は、処理対象フレームデータをメモリ３３に書き込む。これに対して、処理対象フレームデータが静止画像フレームデータであるという静止判定結果である場合、書き込み側アクセス制御部４３は、メモリ３３に対するアクセス（書き込みの制御）を禁止する。即ち、静止画像フレームデータ（処理対象フレームデータ）はメモリ３３に書き込まれない。
【００４７】
読み出し側アクセス制御部４４は、メモリ３３にアクセスして、データの読み出しを制御する。具体的には、読み出し側アクセス制御部４４は、静止判定部４２による静止判定の結果に基づいて、処理対象フレームデータのメモリ３３からの読み出しを制御する。
【００４８】
即ち、処理対象フレームデータが静止画像フレームデータではないという静止判定結果である場合、即ち、処理対象フレームデータが動画像フレームデータである場合、読み出し側アクセス制御部４４は、処理対象フレームデータをメモリ３３から読み出す。これに対して、処理対象フレームデータが静止画像フレームデータであるという静止判定結果である場合、処理対象フレームデータはメモリ３３には書き込まれていない状態である。そこで、読み出し側アクセス制御部４４は、メモリ３３に対するアクセス（読み出しの制御）を禁止する。
【００４９】
即ち、書き込み側アクセス制御部４３と読み出し側アクセス制御部４４とは、次のようなアクセス制御部５１の一構成要素と把握することもできる。即ち、アクセス制御部５１は、静止判定部４２により動画像フレームデータであると判定された場合、処理対象フレームデータのメモリ３３に対する書き込みまたは読み出しのためのアクセス制御を行う。これに対して、アクセス制御部５１は、静止判定部４２により静止画像フレームデータであると判定された場合、処理対象フレームデータについてのアクセス制御を禁止する。
【００５０】
バッファ４５は、読み出し側アクセス制御部４４によりメモリ３３から読み出した処理対象フレームデータを１フレーム期間保持する。即ち、次に入力されたフレームデータが処理対象フレームデータとなった場合、バッファ４５に保持されたフレームデータは、その静止判定における比較対象のフレームデータとして静止判定部４２に提供される。
【００５１】
また、バッファ４５に１フレーム期間保持される処理対象フレームデータは、画像処理部４６にも提供される。
【００５２】
画像処理部４６は、バッファ４５から提供された処理対象フレームデータを、所定の画像処理を施した上で、出力画像データとして表示部３４（図２参照）に提供する。
【００５３】
このような画像処理部３２による画像処理の一例を説明するフローチャートが、図４に示されている。
【００５４】
図４のフローチャートは、処理対象フレームデータを単位とする画像処理の一例を示している。即ち、入力画像データを構成する複数のフレームデータのそれぞれが画像処理部３２に順次入力されると、図４の画像処理がその都度実行されることになる。
【００５５】
図４のステップＳ１において、画像処理部４１は、画像入力部３１からの処理対象フレームデータに対して画像処理を施す。画像処理が施された処理対象フレームデータが、静止判定部４２と書き込み側アクセス制御部４３に提供されると、処理はステップＳ２に進む。
【００５６】
ステップＳ２において、静止判定部４２は、処理対象フレームデータと、バッファ４５から提供された１つ前のフレームデータとを比較する。１つ前のフレームデータとは、現在の処理対象フレームデータの直前に画像処理部３２に入力されたフレームデータであって、バッファ４５に保持されたフレームデータをいう。即ち、前回の画像処理のステップＳ６の処理でバッファ４５に保持されたフレームデータが、ステップＳ２でいう「１つ前のフレームデータ」である。静止判定部４２は、処理対象フレームデータと、１つ前のフレームデータのうちの同一座標のデータ（画素データ）とを一以上比較する。
【００５７】
ステップＳ３において、静止判定部４２は、ステップＳ２の比較処理の結果に基づいて、処理対象フレームデータが、静止画像フレームデータであるか否かを判定する。
【００５８】
静止判定部４２は、処理対象フレームデータと、１つ前のフレームデータのうちの同一座標のデータ（画素データ）が同一であるという比較結果の場合、静止画像フレームデータと判定する。そうでない場合には、静止判定部４２は、動画像フレームデータと判定とする。
【００５９】
この場合、ステップＳ３においてＹＥＳであると判定される。この判定結果、即ち、処理対象フレームデータが静止画像フレームデータであるという静止判定結果は、書き込み側アクセス制御部４３と読み出し側アクセス制御部４４に提供される。これにより、処理はステップＳ７に進む。ただし、ステップＳ７以降の処理については後述する。
【００６０】
これに対して、静止判定部４２は、処理対象フレームデータと、１つ前のフレームデータののうちの同一座標のデータ（画素データ）に同じデータがないという比較結果の場合、動画像フレームデータと判定する。
【００６１】
この場合、ステップＳ３においてＮＯであると判定される。この判定結果、即ち、処理対象フレームデータが動画像フレームデータであるという静止判定結果は、書き込み側アクセス制御部４３と読み出し側アクセス制御部４４に提供される。これにより、処理はステップＳ４に進む。
【００６２】
ステップＳ４において、書き込み側アクセス制御部４３は、処理対象フレームデータを、メモリ３３に書き込む。
【００６３】
ステップＳ５において、読み出し側アクセス制御部４４は、処理対象フレームデータを、メモリ３３から読み出す。読み出し側アクセス制御部４４によって、メモリ３３から読み出された処理対象フレームデータはバッファ４５に提供される。これにより、処理はステップＳ６に進む。
【００６４】
ステップＳ６において、バッファ４５は、処理対象フレームデータを保持する。今回の処理対象フレームデータは、次のフレームデータが入力されるまでバッファ４５に保持される。即ち、次のフレームデータが処理対象フレームデータとして画像処理が施された場合に、そのステップＳ２の処理で、今回の処理対象フレームデータは、「１つ前のフレームデータ」としてバッファ４５から静止判定部４２に提供される。
【００６５】
バッファ４５に保持された処理対象フレームデータが、画像処理部４６に提供されると、処理はステップＳ７に進む。
【００６６】
ステップＳ７において、画像処理部４６は処理対象フレームデータに対して画像処理を施す。ステップＳ７の画像処理が施された処理対象フレームデータが、出力画像データとして表示部３４（図２参照）に提供されると、画像処理全体が終了となる。
【００６７】
以上説明したように、ステップＳ３の処理でＹＥＳであると判定された場合、即ち、静止判定部４２による静止判定結果が静止画像フレームデータであるという場合、ステップＳ４乃至Ｓ６の処理は実行されないので、メモリ３３に対するアクセスは行われない。
【００６８】
これにより、メモリ（本実施の形態ではメモリ３３）の同一アドレスに同一の画像データ（同一の静止画像フレームデータ）が書き込まれたり読み出されたりすることが無くなる。よって、メモリに対する不要なアクセスを回避することができる。これにより、[背景技術]の欄で説明した従来の技術を用いた場合に無駄となっていた時間、即ち、静止画像フレームデータをメモリに書き込んだり読み出していたりしていた無駄な時間を、別のデータの書き込みや読み出しに使用することができるようになる。即ち、メモリの使用効率が向上する。さらに、従来の技術を用いた場合に実行されていたメモリに対する不要なアクセスを無くすことができるため、消費電力を削減することができる。
【００６９】
ところで、上述した一連の処理は、ハードウエアにより実行させることもできるが、ソフトウエアにより実行させることができる。
【００７０】
この場合、上述した情報処理装置１１の少なくとも一部として、例えば、図５に示されるパーソナルコンピュータを採用してもよい。
【００７１】
図５において、CPU１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【００７２】
CPU１０１、ROM１０２、およびRAM１０３は、バス１０４を介して相互に接続されている。このバス１０４にはまた、入出力インタフェース１０５も接続されている。
【００７３】
入出力インタフェース１０５には、キーボード、マウスなどよりなる入力部１０６、図２の表示部３４などよりなる出力部１０７、ハードディスクなどより構成される記憶部１０８、モデムおよびターミナルアダプタなどより構成される通信部１０９が接続されている。通信部１０９は、インターネットを含むネットワークを介して他の装置（図示せず）との間で行う通信を制御する。例えばRAM１０３または記憶部１０８が、図２のメモリ３３として機能する。
【００７４】
入出力インタフェース１０５にはまた、必要に応じてドライブ１１０が接続され、磁気ディスク、光ディスク、光磁気ディスク、或いは半導体メモリなどよりなるリムーバブルメディア１１１が適宜装着され、それらから読み出されたコンピュータプログラムが、必要に応じて記憶部１０８にインストールされる。
【００７５】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００７６】
このようなプログラムを含む記録媒体は、図５に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア（パッケージメディア）１１１により構成されるだけでなく、装置本体に予め組み込まれた状態でユーザに提供される、プログラムが記録されているROM１０２や、記憶部１０８に含まれるハードディスクなどで構成される。
【００７７】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【図面の簡単な説明】
【００７８】
【図１】本発明が適用される情報処理装置の一実施形態の外観構成例を示す図である。
【図２】図１の情報処理装置１１の機能的構成例を示す機能ブロック図である。
【図３】画像処理部３２の機能的構成例を示す機能ブロック図である。
【図４】画像処理部３２による画像処理の一例を説明するフローチャートである。
【図５】本発明が適用される情報処理装置のハードウエア構成例を示すブロック図である。
【符号の説明】
【００７９】
１１  情報処理装置、  １２  放送局、  ２１  アンテナ、  ２２  デジタルスチルカメラ、  ２３  パーソナルコンピュータ、  ３１  画像入力部、  ３２  画像処理部、  ３３  メモリ、  ３４  表示部、  ４１  画像処理部、  ４２  静止判定部、  ４３  書き込み側アクセス制御部、  ４４  読み出し側アクセス制御部、  ４５  バッファ、  ４６  画像処理部、  ５１  アクセス制御部
【図１】
2010026219.tif 000003
【図２】
2010026219.tif 000004
【図３】
2010026219.tif 000005
【図４】
2010026219.tif 000006
【図５】
2010026219.tif 000007